(57)【要約】  入力を受付けた照合対象の鋼材の番地及び段情報に対応付けられている識別情報を対応情報から取得する対応情報検索部（１３）と、ファインダーに画像を表示するとともに、特定フレームを重ねて表示する出力部（１７）と、ファインダーに表示されている画像を撮像する撮像部（１４）と、撮像画像の中の特定フレーム内の一部画像のみを用いて画像認識処理を行い鋼材の表面に記されている識別マークを抽出するとともに、抽出した識別マークを用いて識別情報を認識する画像認識部（１５）と、対応情報検索部（１３）が取得した識別情報と画像認識部（１５）が認識した識別情報とが、一致するか否か判別する照合部（１６）とを有する照合システム（１）。
2014141534.tif 000002
【特許請求の範囲】
【請求項１】
各々番地が割り振られた複数のエリア各々に複数段に積み重ねて保管される複数の鋼材の照合を行う照合システムであって、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段と、
照合対象の前記鋼材の前記番地及び前記段情報の入力を受付ける入力受付手段と、
前記対応情報を参照し、前記入力受付手段が入力を受付けた前記番地及び前記段情報に対応付けられている前記識別情報を取得する対応情報検索手段と、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている画像を撮像する撮像手段と、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段と、
前記対応情報検索手段が取得した前記識別情報と、前記画像認識手段が認識した前記識別情報とが一致するか否か判別する照合手段と、
を有する照合システム。
【請求項２】
請求項１に記載の照合システムにおいて、
前記出力手段は、前記照合手段の判別結果を出力する照合システム。
【請求項３】
請求項１又は２に記載の照合システムにおいて、
前記出力手段は、前記画像認識手段による認識結果を出力する照合システム。
【請求項４】
請求項１から３のいずれか１項に記載の照合システムにおいて、
前記照合システムは同一の前記番地に保管されている複数の前記鋼材を一度に照合対象とすることができ、
前記入力受付手段は、照合対象の複数の前記鋼材が保管されている前記番地及び複数の前記段情報の入力を受付けることができ、
前記出力手段は、前記入力受付手段が入力を受付けた前記段情報の数と同数の複数の前記特定フレームを前記ファインダーに表示する照合システム。
【請求項５】
請求項４に記載の照合システムにおいて、
複数の前記特定フレーム各々は、前記入力受付手段が入力を受付けた前記段情報各々と対応付けられており、
前記出力手段は、対応付けられている前記段情報が識別できるように、複数の前記特定フレームを表示する照合システム。
【請求項６】
請求項４又は５に記載の照合システムにおいて、
前記対応情報検索手段は、前記入力受付手段が入力を受付けた前記番地に対応付けられている前記段情報を取得し、
前記出力手段は、前記対応情報検索手段が取得した前記段情報を一覧表示し、
前記入力受付手段は、前記一覧表示されている前記段情報の中の１つ又は複数を選択する入力を受付けることで、照合対象の前記鋼材の前記段情報の入力を受付ける照合システム。
【請求項７】
請求項１から３のいずれか１項に記載の照合システムにおいて、
前記照合システムは同一の前記番地に保管されている複数の前記鋼材を一度に照合対象とすることができ、
前記対応情報検索手段は、前記入力受付手段が入力を受付けた前記番地に保管されている前記鋼材である第１の前記鋼材の数を、前記対応情報において当該番地に対応付けられている前記鋼材の前記識別情報の数を認識することで特定し、
前記出力手段は、前記第１の鋼材の数と同数の複数の前記特定フレームを前記ファインダーに表示する照合システム。
【請求項８】
請求項７に記載の照合システムにおいて、
複数の前記特定フレーム各々には、前記第１の鋼材各々に対応付けられている前記段情報が対応付けられており、
前記出力手段は、対応付けられている前記段情報が識別できるように、複数の前記特定フレームを表示する照合システム。
【請求項９】
請求項８に記載の照合システムにおいて、
前記入力受付手段は、前記ファインダーに表示されている複数の前記特定フレームの中の１つ又は複数を選択する入力を受付けることで、照合対象の前記鋼材の前記段情報の入力を受付ける照合システム。
【請求項１０】
請求項４から９のいずれか１項に記載の照合システムにおいて、
前記ファインダーに表示されている複数の前記特定フレームは、個別に、前記ファインダー内の表示位置、形状及び大きさの中の少なくとも１つを変更することができる照合システム。
【請求項１１】
請求項４から１０のいずれか１項に記載の照合システムにおいて、
前記入力受付手段は、前記ファインダーに表示されている複数の前記特定フレームの中の一部を指定する指定入力と、一部の前記特定フレームが指定されている状態で撮像する撮像指示入力とを受付け、
前記撮像手段は、前記入力受付手段が受付けた前記撮像指示入力に従い撮像し、
前記画像認識手段は、前記撮像手段が撮像した前記画像の中の当該画像撮像時に指定されていた前記特定フレーム内の一部画像のみを用いて画像認識処理を行う照合システム。
【請求項１２】
請求項１１に記載の照合システムにおいて、
前記出力手段は、指定された状態で撮像されたことがある前記特定フレームと、指定された状態で撮像されたことがない前記特定フレームとを識別可能に表示する照合システム。
【請求項１３】
請求項１から１２のいずれか１項に記載の照合システムにおいて、
前記照合システムは、互いに通信可能に構成された端末装置と、サーバ装置とを有し、
前記端末装置は、前記入力受付手段と、前記出力手段と、前記撮像手段とを有し、
前記サーバ装置は、前記記憶手段と、前記対応情報検索手段と、前記照合手段とを有し、
前記端末装置及び前記サーバ装置のいずれかが、前記画像認識手段を備える照合システム。
【請求項１４】
請求項１から１２のいずれか１項に記載の照合システムが有する前記入力受付手段と、前記撮像手段と、前記出力手段とを備える端末装置。
【請求項１５】
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを外部装置に送信する送信手段と、を有する端末装置。
【請求項１６】
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像を識別する情報とともに、前記画像を外部装置に送信する送信手段と、を有する端末装置。
【請求項１７】
請求項１から１２のいずれか１項に記載の照合システムが有する前記記憶手段と、前記対応情報検索手段と、前記照合手段とを備えるサーバ装置。
【請求項１８】
請求項１７に記載のサーバ装置において、請求項１から１２のいずれか１項に記載の照合システムが有する前記画像認識手段をさらに備えるサーバ装置。
【請求項１９】
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像のみを外部装置に送信する送信手段、
として機能させるためのプログラム。
【請求項２０】
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像を識別する情報とともに、前記画像を外部装置に送信する送信手段、
として機能させるためのプログラム。
【請求項２１】
各々番地が割り振られた複数のエリア各々に複数段に積み重ねて保管される複数の鋼材の照合を行う照合システム用のプログラムであって、
コンピュータを、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段、
照合対象の前記鋼材の前記番地及び前記段情報の入力を受付ける入力受付手段、
前記対応情報を参照し、前記入力受付手段が入力を受付けた前記番地及び前記段情報に対応付けられている前記識別情報を取得する対応情報検索手段、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記ファインダーに表示されている前記画像を撮像する撮像手段、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段、
前記対応情報検索手段が取得した前記識別情報と、前記画像認識手段が認識した前記識別情報とが一致するか否か判別する照合手段、
として機能させるためのプログラム。
【請求項２２】
各々番地が割り振られた複数のエリア各々に複数段に積み重ねて保管される複数の鋼材の照合を行う照合方法であって、
コンピュータが、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶しておき、
照合対象の前記鋼材の前記番地及び前記段情報の入力を受付ける入力受付ステップと、
前記対応情報を参照し、前記入力受付ステップで入力を受付けた前記番地及び前記段情報に対応付けられている前記識別情報を取得する対応情報検索ステップと、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力ステップと、
前記ファインダーに表示されている前記画像を撮像する撮像ステップと、
前記撮像ステップで撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識ステップと、
前記対応情報検索ステップで取得した前記識別情報と、前記画像認識ステップで認識した前記識別情報とが一致するか否か判別する照合ステップと、
を実行する照合方法。
【発明の詳細な説明】
【技術分野】
【０００１】
本発明は、照合システム、端末装置、サーバ装置、照合方法及びプログラムに関する。
【背景技術】
【０００２】
鉄鋼製品の製造においては、鋼材の半製品として、その形状によりスラブ（厚板・薄板上に加工されたもの）、ピレット（円柱または角柱形状のもの）、ブルーム（羊羹状のもの）、ビームブランク（Ｈ字型に近い形のもの）などのものがある。これらスラブ等の鋼材は、各々番地が割り振られた複数のエリア各々に複数段に積み重ねて保管される。管理者は、どの番地の何段目にどの識別情報（例：ロットナンバー）の鋼材が保管されているかを示す保管情報を用いて、複数の鋼材の保管状態を管理する。保管場所に新たな鋼材が追加されたり、保管している鋼材が出荷されたり、保管する番地を他の番地に移動したりというイベントが発生すると、保管情報は更新される。このような保管情報を用いれば、ある識別情報の鋼材を出荷する際、その鋼材の保管場所を容易に特定することができる。【０００３】
しかし、人為的ミス等の何らかの不具合により、保管情報に誤りが含まれることを完全には排除できない。そこで、出荷時には、保管情報を用いて特定した場所に実際に保管されている鋼材の表面等に付された（例：印字された）識別情報と、出荷対象の鋼材の識別情報とが一致しているかを確認する作業（照合作業）が行われる。また、所定のタイミング（例：棚卸タイミング）で、所定の位置に保管されている鋼材の表面等に付された（例：印字された）識別情報と、保管情報とを利用して照合作業を行い、保管情報に誤りがないか確認する。【０００４】
特許文献１には、融資希望の顧客が融資審査装置に送信する証明書類の画像データを取得するための証明書類撮影用カメラであって、前記証明書類における各記載項目を区分するための枠線のうち、少なくとも一部の枠線の合致する撮影フレームを、ファインダーに表示させる撮影フレーム表示手段を有することを特徴とする証明書類撮影用カメラが開示されている。
【先行技術文献】
【特許文献】
【０００５】
【特許文献１】特開２０１２−７４８０４号公報
【発明の概要】
【発明が解決しようとする課題】
【０００６】
従来、上述のような出荷時及び所定のタイミングでの照合作業は、人手で行われていた。すなわち、作業者が保管情報と、所定の位置に保管されている鋼材の表面等に付された（例：印字された）識別情報とを視認で照合していた。このような作業は非常に手間であり、多くの時間を要する。また、人為的ミスが発生する可能性がある。【０００７】
本願発明は、各々番地が割り振られた複数のエリア各々に複数段に積み重ねて保管された鋼材の照合作業を効率的に行うための技術を提供することを課題とする。
【課題を解決するための手段】
【０００８】
本発明によれば、
各々番地が割り振られた複数のエリア各々に複数段に積み重ねて保管される複数の鋼材の照合を行う照合システムであって、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段と、
照合対象の前記鋼材の前記番地及び前記段情報の入力を受付ける入力受付手段と、
前記対応情報を参照し、前記入力受付手段が入力を受付けた前記番地及び前記段情報に対応付けられている前記識別情報を取得する対応情報検索手段と、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段と、
前記対応情報検索手段が取得した前記識別情報と、前記画像認識手段が認識した前記識別情報とが一致するか否か判別する照合手段と、
を有する照合システムが提供される。【０００９】
また、本発明によれば、前記照合システムが有する前記入力受付手段と、前記出力手段と、前記撮像手段とを備える端末装置が提供される。【００１０】
また、本発明によれば、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを外部装置に送信する送信手段と、を有する端末装置が提供される。【００１１】
また、本発明によれば、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像を識別する情報とともに、前記画像を外部装置に送信する送信手段と、を有する端末装置が提供される。【００１２】
また、本発明によれば、前記照合システムが有する前記記憶手段と、前記対応情報検索手段と、前記照合手段とを備えるサーバ装置が提供される。【００１３】
また、本発明によれば、
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像のみを外部装置に送信する送信手段、
として機能させるためのプログラムが提供される。【００１４】
また、本発明によれば、
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像を識別する情報とともに、前記画像を外部装置に送信する送信手段、
として機能させるためのプログラムが提供される。【００１５】
また、本発明によれば、
各々番地が割り振られた複数のエリア各々に複数段に積み重ねて保管される複数の鋼材の照合を行う照合システム用のプログラムであって、
コンピュータを、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段、
照合対象の前記鋼材の前記番地及び前記段情報の入力を受付ける入力受付手段、
前記対応情報を参照し、前記入力受付手段が入力を受付けた前記番地及び前記段情報に対応付けられている前記識別情報を取得する対応情報検索手段、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記ファインダーに表示されている前記画像を撮像する撮像手段、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段、
前記対応情報検索手段が取得した前記識別情報と、前記画像認識手段が認識した前記識別情報とが一致するか否か判別する照合手段、
として機能させるためのプログラムが提供される。【００１６】
また、本発明によれば、
各々番地が割り振られた複数のエリア各々に複数段に積み重ねて保管される複数の鋼材の照合を行う照合方法であって、
コンピュータが、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶しておき、
照合対象の前記鋼材の前記番地及び前記段情報の入力を受付ける入力受付ステップと、
前記対応情報を参照し、前記入力受付ステップで入力を受付けた前記番地及び前記段情報に対応付けられている前記識別情報を取得する対応情報検索ステップと、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力ステップと、
前記ファインダーに表示されている前記画像を撮像する撮像ステップと、
前記撮像ステップで撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識ステップと、
前記対応情報検索ステップで取得した前記識別情報と、前記画像認識ステップで認識した前記識別情報とが一致するか否か判別する照合ステップと、
を実行する照合方法が提供される。
【発明の効果】
【００１７】
本発明によれば、各々番地が割り振られた複数のエリア各々に複数段に積み重ねて保管された鋼材の照合作業を効率的に行うことが可能となる。
【図面の簡単な説明】
【００１８】
上述した目的、およびその他の目的、特徴および利点は、以下に述べる好適な実施の形態、およびそれに付随する以下の図面によってさらに明らかになる。【００１９】
【図１】本実施形態の照合システムの機能ブロック図の一例を示す図である。
【図２】鋼材を保管するエリアの例を説明するための図である。
【図３】複数段に積み重ねて保管された鋼材の例を示す図である。
【図４】本実施形態の対応情報の一例を示す図である。
【図５】本実施形態の出力部が表示するユーザインターフェースの一例を示す図である。
【図６】本実施形態の出力部が表示するユーザインターフェースの一例を示す図である。
【図７】本実施形態の出力部が表示するユーザインターフェースの一例を示す図である。
【図８】本実施形態の照合方法の処理の流れの一例を示すフローチャートである。
【図９】本実施形態の出力部が表示するユーザインターフェースの一例を示す図である。
【図１０】本実施形態の出力部が表示するユーザインターフェースの一例を示す図である。
【図１１】本実施形態の出力部が表示するユーザインターフェースの一例を示す図である。
【図１２】本実施形態の出力部が表示するユーザインターフェースの一例を示す図である。
【図１３】本実施形態の出力部が表示するユーザインターフェースの一例を示す図である。
【図１４】本実施形態の出力部が表示するユーザインターフェースの一例を示す図である。
【図１５】本実施形態の出力部が表示するユーザインターフェースの一例を示す図である。
【図１６】本実施形態の出力部が表示するユーザインターフェースの一例を示す図である。
【図１７】本実施形態の出力部が表示するユーザインターフェースの一例を示す図である。
【図１８】本実施形態の出力部が表示するユーザインターフェースの一例を示す図である。
【図１９】本実施形態の照合システムの機能ブロック図の一例を示す図である。
【図２０】本実施形態の照合システムの機能ブロック図の一例を示す図である。
【図２１】本実施形態の照合方法の処理の流れの一例を示すシーケンス図である。
【発明を実施するための形態】
【００２０】
以下、本発明の実施の形態について図面を用いて説明する。
【００２１】
なお、本実施形態のシステム及び装置は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウェアとソフトウェアの任意の組合せによって実現される。そして、その実現方法、装置にはいろいろな変形例があることは、当業者には理解されるところである。
【００２２】
また、本実施形態の説明において利用する機能ブロック図は、ハードウェア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００２３】
＜第１の実施形態＞
本発明者らは、各々番地が割り振られた複数のエリア各々に複数段に積み重ねて保管された鋼材の照合作業をコンピュータで実現する技術を検討した。まず、どの番地の何段目にどの識別情報（ロットナンバー等）の鋼材が保管されているかを示す保管情報を電子データで管理する。そして、照合作業には、画像認識技術を利用する。具体的には、まず、照合対象の鋼材の表面等に付された（例：印字された）識別マークを撮像装置で撮像する。そして、画像認識技術を利用して撮像した画像中から識別マークを抽出するとともに、当該識別マークを利用して識別情報を認識する。また、照合対象の鋼材の位置（番地及び何段目かを示す情報）をキーとして上記保管情報を検索し、当該キーに対応付けられている識別情報を取得する。そして、画像認識技術を利用して認識した識別情報と、保管情報から取得した識別情報とが一致するか否かを照合する。このような技術によれば、人為的ミスを排除することができる。しかし、当該技術の場合、鋼材の照合作業に特有の以下のような課題が発生し得る。
【００２４】
鋼材の撮像は、鋼材の保管場所で行う必要がある。すなわち、撮像のために鋼材を移動させることはできない。鋼材の保管場所は様々であり、屋外に保管される場合もあれば、屋内に保管される場合もある。例えば、鋼材は、低照度の環境下等、撮像用としては好ましくない環境下で保管される場合もある。かかる場合、撮像された画像をそのまま用いて画像認識処理を行うと、十分な認識精度を得られなくなる恐れがある。当該課題を解決する手段として、カメラ側の設定を各環境に適するように変更し、鋼材を撮像する手段が考えられる。しかし、多忙な現場の作業者は、このような面倒なカメラの設定の変更作業を回避することを望む。また、カメラの設定変更に時間を要し、照合作業全体の作業効率は悪くなる。
【００２５】
このため、認証精度を向上させるためには、様々な画像認識技術（補正処理等）を利用して画像認識処理の精度を高める必要がある。かかる場合、画像認識処理に要する処理時間が大きくなり、照合作業全体の作業効率は悪くなる。コンピュータ処理の待ち時間が数秒違うだけでも、現場の作業者に与える心的影響は大きい。
【００２６】
そこで、本発明者らは、現場の作業者に面倒な操作を要することなく、十分な作業効率が実現される認証処理技術を発明した。以下、詳細に説明する。
【００２７】
図１に、本実施形態の照合システム１の機能ブロック図の一例を示す。図示するように、本実施形態の照合システム１は、記憶部１１と、入力受付部１２と、対応情報検索部１３と、撮像部１４と、画像認識部１５と、照合部１６と、出力部１７とを有する。本実施形態の照合システム１は、１つの装置（例：携帯端末装置）により実現されてもよいし、有線及び／又は無線で互いに通信可能に構成された２つ以上の装置により実現されてもよい。すなわち、１つの装置が図１に示すすべての部を備えてもよい。または、２つ以上の装置各々が図１に示す部の少なくとも一部を備え、それらを組み合わせることで図１に示すすべての部を備える照合システム１が実現されてもよい。２つ以上の装置で照合システム１を実現する実施形態は、以下の実施形態で説明する。
【００２８】
本実施形態の照合システム１は、各々番地が割り振られた複数のエリア各々に複数段に積み重ねて保管される複数の鋼材の照合を行うためのシステムである。
【００２９】
図２に、各々番地が割り振られた複数のエリアの一例を示す。ＡＡ１乃至ＡＦ４が番地である。なお、複数のエリアは必ずしも図示するように規則正しく配列されている必要はなく、無造作な位置関係であってもよい。また、複数のエリア各々は互いに離れて位置してもよい。例えば、あるエリアは屋内にあり、他のエリアは屋外にあるという風に、環境が互いに異なっていてもよい。また、図示するエリアの形状は一例であり、四角に限定されない。
【００３０】
図３に、複数段に積み重ねて保管されている複数の鋼材の一例を示す。図示する例では、板状のスラブが５段に積み重ねられている。本実施形態において鋼材の形状は特段制限されない。鋼材の形状は図示するような板状であってもよいし、角材状、棒状等、その他の形状であってもよい。しかし、同じ種類の鋼材（形状、大きさ、成分等が同じ）を互いに積み重ねるのが好ましい。互いに積み重ねる鋼材の数は設計的事項である。
【００３１】
なお、図３に示す例では、複数の鋼材が互いに接した状態で積層されているが、各鋼材の間に中間部材を挟んで積層してもよい。例えば、各鋼材が所定の載置部材（例：載置台）の上に載置されており、この載置部材ごと複数の鋼材が積層されていてもよい。
【００３２】
図３に示すように、各鋼材の表面には各々の識別情報を示す識別マークが記される。例えば、機械で各鋼材の表面に識別マークが印字されていてもよい。または、識別マークを記したラベル（例：コンピュータで生成した識別マークを印刷したラベル）が各鋼材の表面に貼付されていてもよい。識別マークは、従来の画像認識技術で認識可能なあらゆる形態を採用することができる。例えば、識別マークは、図示するように英数字等で構成された識別情報そのものであってもよいし、バーコードや二次元コードなどであってもよい。図示する例では一列に英数字からなる識別情報が記載されているが、二列及び三列に分けて記載してもよい。鋼材の表面形状に応じてこのような記載形態を変更することができる。しかし、同じ種類の鋼材（形状、大きさ、成分等が同じ）には同じ記載形態を採用するのが好ましい。
【００３３】
図１に示す記憶部１１は、保管されている複数の鋼材各々の識別情報と、鋼材各々が保管されているエリアの番地と、複数段に積み重ねられた鋼材群の中の位置を示す段情報とを対応付けた対応情報を記憶する。段情報は、例えば、下から数えて何段目かを示す情報であってもよいし、または、上から数えて何段目かを示す情報であってもよい。以下では、段情報は、下から数えて何段目かを示す情報であるものとする。図４に対応情報の一例を示す。図示する対応情報によれば、ＡＡ１番地の下から数えて１段目には識別情報「２０１３０１０１ＡＢ００１」の鋼材が保管されていることが分かる。対応情報は、保管する鋼材が新たに追加されたり、保管している鋼材が出荷されたり、保管する番地を他の番地に移動したりというイベントが発生すると内容が更新される。例えば、人間の入力作業に基づいて対応情報の内容が更新されてもよい。
【００３４】
図１に戻り、入力受付部１２は、照合対象の鋼材の番地及び段情報の入力を受付ける。例えば、作業者は、ある番地のある段数に保管されている鋼材を出荷する際、この鋼材を照合対象とする。そして、作業者は、その番地と、その段数を示す段情報とを入力する。その他、作業者は、例えば棚卸等のタイミングで記憶部１１が記憶する対応情報に誤りが存在しないか確認するために、複数の鋼材を順に照合対象としてもよい。
【００３５】
図５に、入力受付部１２が照合対象の鋼材の番地及び段情報の入力を受付けるためのユーザインターフェースの一例を示す。図示する例では、プルダウンメニューにより、番地及び段情報が選択可能になっている。なお、図示するユーザインターフェースの例はあくまで一例であり、これに限定されない（当該前提は、以下に示すすべてのユーザインターフェースにおいて同様）。例えば、その他のＧＵＩ（graphical user interface）部品を用いたユーザインターフェースとしてもよい。入力受付部１２が入力を受付ける手段は特段制限されず、タッチパネルディスプレイ、入力ボタン、マイク、キーボード、マウス等のあらゆる入力装置を用いて実現することができる。
【００３６】
図１に戻り、対応情報検索部１３は、記憶部１１に記憶されている対応情報（図４参照）を参照し、入力受付部１２が入力を受付けた番地及び段情報に対応付けられている鋼材の識別情報を取得する。
【００３７】
出力部１７は、ファインダーを有する。ファインダーは例えばディスプレイで構成することができる。ファインダーは、例えばタッチパネルディスプレイであってもよい。ファインダーには、以下で説明する撮像部１４により撮像される画像（撮像前の画像）及び／又は撮像部１４により撮像された画像（撮像済みの画像）が表示される。例えば、ファインダーに画像が表示されている状態で撮像指示入力がなされると、ファインダーに表示されている画像が撮像され、撮像データが記憶される。また、記憶されている撮像データを用いて、ファインダーに撮像済みの画像が表示される。
【００３８】
出力部１７は、ファインダーに表示されている画像の中の画像認識処理の対象となる一部領域を示す特定フレームを画像に重ねてファインダーに表示する。画像認識処理は、以下で説明する画像認識部１５により実行される画像認識処理が該当する。なお、出力部１７は、（１）撮像前の画像に特定フレームを重ねて表示する処理、及び、（２）撮像済みの画像に特定フレームを重ねて表示する処理の少なくとも一方を実行可能に構成される。以下では、出力部１７は、（１）撮像前の画像に特定フレームを重ねて表示する処理を実行するものとして説明する。
【００３９】
出力部１７が特定フレームを画像に重ねてディスプレイ（ファインダー）に表示している一例を図６に示す。図示するディスプレイ１００には、撮像前の画像として、複数段に積み重ねて保管されている鋼材（図３参照）の一部が表示されている。より具体的には、複数段に積み重ねて保管されている鋼材の識別マーク部分が表示されている。そして、ディスプレイ１００には、当該画像に重ねて特定フレームＦが表示されている。図示する状態で入力受付部１２が撮像指示入力（例：撮影ボタンのタッチ）を受け付けると、ディスプレイ１００に表示されている画像が撮像される。しかし、画像認識処理の対象はディスプレイ１００に表示されている全ての画像でなく、特定フレームＦ内の画像のみとなる。
【００４０】
特定フレームＦの形状は四角に限定されず、その他の形状であってもよい。また、特定フレームＦの大きさ、形状及びディスプレイ１００内の表示位置の少なくとも１つは作業者の入力に応じて変更できてもよい。変更する方法は、例えば、複数点を認識可能なタッチパネル型ディスプレイの場合において大きさを変更するときにはピンチイン・ピンチアウトなどの手法によるものがあり、表示位置を変更するときには特定フレーム内の任意の位置をタッチしてドラッグするなどの方法によるものがある。または一点しか認識できないタッチパネル型ディスプレイの場合において大きさを変更するときには特定フレームを構成する一辺または二辺の交点をタッチしドラッグするなどの方法（タッチアンドスライド）によるものがあり、表示位置を変更するときには特定フレーム内の任意の位置をタッチしてドラッグするなどの方法（タッチアンドスライド）によるものがある。またはタッチパネル型でないディスプレイの場合は所定のボタンによるものがある。なお、識別マークを機械で鋼材に印字したり、また、コンピュータで生成した識別マークを印刷したラベルを鋼材に貼付する場合は、識別マークの形態（１列書き、２列書き、識別マークの形状、識別マークの表示領域の形状等。）がバラツクことなく所定の状態に統一される。このため、予め、その識別マークの形態に適した形状の特定フレームＦを出力部１７に保持させておいてもよい。
【００４１】
図１に戻り、撮像部１４は、ディスプレイ１００に表示されている画像を撮像する。作業者は、照合対象の鋼材の識別マークが特定フレームＦ内に収まっている状態で、撮像指示入力を行う。照合対象以外の鋼材の識別マークは特定フレームＦ内に含まれない状態で撮像指示入力を行うのが好ましい。撮像部１４は、撮像した画像の画像データに、撮像時点の特定フレームの位置（例：画像データ内の位置、ディスプレイ１００内の位置）を示す情報（特定フレーム位置情報）を対応付ける。
【００４２】
画像認識部１５は、撮像部１４が撮像した画像の中の特定フレーム内の一部画像のみを用いて画像認識処理を行う。画像認識部１５は、撮像部１４が撮像した画像の画像データを取得すると、その画像データに対応付けられている特定フレーム位置情報を利用して特定フレームＦ内の一部画像を特定する。そして、特定した画像の画像データのみを用いて、画像認識処理を行う。
【００４３】
画像認識処理は、処理対象の画像内から鋼材の表面に記されている識別マークを抽出する処理と、抽出した識別マークを用いて識別情報を認識する処理を含む。画像認識処理の詳細は特段制限されず、従来のあらゆる技術を適用することができる。画像認識部１５は識別マークの特徴を示す特徴情報（特徴量）を予め保持しておき、当該特徴情報を利用して識別マークの抽出、及び、認証処理を行うことができる。画像認識部１５は、ノイズ除去、平滑化、鮮鋭化、２次元フィルタリング処理、２値化、細線化、正規化（拡大・縮小、平行移動、回転移動、濃度変化等）等のあらゆる処理を実行することができる。なお、必ずしもここで例示した処理の全てを実行する必要はない。
【００４４】
照合部１６は、対応情報検索部１３が取得した識別情報と、画像認識部１５が認識した識別情報とが一致するか否か判別する。
【００４５】
出力部１７は、照合部１６による判別結果をディスプレイ１００に表示することができる。図７に、出力部１７がディスプレイ１００に判別結果を表示した一例を示す。図示する例の場合、ディスプレイ１００に照合対象の鋼材の番地及び段情報が表示されるとともに、照合部１６による判別結果（認証結果）、及び、画像認識部１５による画像認識処理の認識結果が表示されている。
【００４６】
次に、図８のフローチャートを用いて、本実施形態の照合方法の処理の流れの一例を説明する。
【００４７】
まず、入力受付部１２が照合対象の鋼材の番地及び段情報の入力を受付ける（Ｓ１）。例えば、入力受付部１２は、出力部１７によりディスプレイ１００に表示されている図５に示すようなユーザインターフェースを介して番地及び段情報の入力を受付ける。ここでは、入力受付部１２は「ＡＡ１」番地、下から「２」段目の入力を受付けたとする。
【００４８】
すると、対応情報検索部１３は、入力受付部１２が受付けた番地及び段情報をキーとして、記憶部１１が記憶する対応情報を検索し、キーに対応付けられている鋼材の識別情報を取得する（Ｓ２）。ここでは、対応情報は、「ＡＡ１」、「２」の組み合わせをキーとして図４に示す対応情報を検索し、「２０１３０１０１ＡＢ００２」の識別情報を取得したとする。
【００４９】
入力受付部１２が番地及び段情報の入力を受付けると、照合システム１は撮像モードになる。撮像モードへの移行・実行とＳ２の処理の順番は図８に示す順に限定されず、これらが並行して実行されてもよい。照合システム１が撮像モードに移行されると、ディスプレイ１００の表示が切り替わる。出力部１７は、ディスプレイ１００に撮像対象の画像を表示するとともに、当該画像に重ねて特定フレームＦを表示する（図６参照）。作業者は、照合システム１の位置、向き等を調整することで、ディスプレイ１００に照合対象の鋼材の表面に付された識別マークを表示させるとともに、当該識別マークを特定フレームＦ内に収める。そして、作業者は、当該状態を維持させたまま撮像指示入力（例：撮影ボタンのタッチ）を行う。すると、撮像部１４は、ディスプレイ１００に表示されていた画像を撮像する。そして、撮像部１４は、撮像した画像の画像データに、撮像時点の特定フレームＦの位置（例：画像データ内の位置、ディスプレイ１００内の位置）を示す情報（特定フレーム位置情報）を対応付ける（Ｓ３）。ここでは、撮像部１４は、図６に示す状態で画像を撮像したものとする。
【００５０】
すると、画像認識部１５は、撮像部１４が撮像した画像の中の特定フレームＦ内の一部画像のみを用いて画像認識処理を行う。画像認識部１５は、当該画像認識処理により、複数の鋼材各々の表面に記されている識別マークを抽出するとともに（Ｓ４）、抽出した識別マークを用いて識別情報を認識する（Ｓ５）。ここでは、画像認識部１５は、「２０１３０１０１ＡＢ００２」の識別情報を認識したとする。
【００５１】
その後、照合部１６は、Ｓ２で対応情報検索部１３が取得した識別情報と、Ｓ５で画像認識部１５が認識した識別情報とが一致するか否か判別（照合）する（Ｓ６）。そして、出力部１７がＳ６での照合部１６の照合結果を出力する（Ｓ７）。例えば、出力部１７は、ディスプレイ１００に図７に示すような照合結果を出力する。
【００５２】
なお、Ｓ５での画像認識部１５の認識が「２０１３０１０１ＡＢ００？」であった場合は、最後の部分の識別マークを認識できなかった場合を示す表示方法の一例である。そして、この場合はＳ５で認識した識別情報が正しく認識できておらず、その結果Ｓ２で取得した識別情報と一致しないので、照合部１６の照合結果が不一致（ＮＧ）となる。かかる場合、出力部１７は、ディスプレイ１００に例えば図９に示すような照合結果を出力する。当該表示によれば、作業者は、画像認識処理の認識精度が不十分であったため、照合結果がＮＧになっていることを認識できる。
【００５３】
このような場合、作業者は照合対象の鋼材（所定の番地の所定の段に保管されている鋼材）に付されている認識マークを視認し、視認した識別情報を入力（入力受付部１２）できるように構成してもよい。かかる場合、照合部１６は、入力受付部１２が入力を受付けた識別情報と、Ｓ２で対応情報検索部１３が取得した識別情報とが一致するか否か判別（照合）する。
【００５４】
例えば、図９に示すユーザインターフェースにおいて「入力画面へ」をタッチすると、図１０に示すような入力画面に遷移してもよい。当該画面は、画像認識部１５による認識結果「２０１３０１０１ＡＢ００」が初期値として表示され、認識できなかった最後の数字部分が空欄となっている。入力受付部１２は、例えばこのようなユーザインターフェースから、識別情報の入力を受付けてもよい。
【００５５】
ここまでは、出力部１７が、（１）撮像前の画像に特定フレームＦを重ねて表示する処理を実行することを前提に説明した。出力部１７が、（２）撮像済みの画像に特定フレームＦを重ねて表示する処理を実行する場合は、以下のような処理とすることができる。まず、Ｓ１の前、Ｓ２の前、又はＳ２の後に、照合システム１は、撮像済みの画像の中の１つを選択するユーザ入力を受付ける。ユーザは、予め、照合対象の鋼材の表面に付された識別マークを撮像し、撮像データを保存しておく。そして、ここでは、照合対象の鋼材の表面に付された識別マークが表示されている画像を選択する。照合システム１は、Ｓ２の後に撮像モードに移行する代わりに、選択された撮像済みの画像に特定フレームＦを重ねてディスプレイ１００に表示する処理を実行する。その後、ユーザは、特定フレームＦの大きさ、形状及びディスプレイ１００内の表示位置の少なくとも１つを必要に応じて変更し、識別マークを特定フレームＦ内に収める。そして、作業者は、当該状態を維持させたまま撮像入力（例：撮像ボタンのタッチ）を行う。すると、撮像部１４は、ディスプレイ１００に表示されている画像の画像データに、撮像入力を受付けた時点の特定フレームＦの位置（例：画像データ内の位置、ディスプレイ１００内の位置）を示す情報（特定フレーム位置情報）を対応付けたデータを作成し（撮像処理）、保存する（Ｓ３）。Ｓ４以降の処理は、上記例と同様である。当該処理の流れは、以下の全ての実施形態において適用可能である。
【００５６】
以上説明した本実施形態の照合システムによれば、各々番地が割り振られた複数のエリア各々に複数段に積み重ねて保管された鋼材の照合作業を、コンピュータによる処理で実現することができる。このため、人為的ミスの発生を回避することができる。
【００５７】
ところで、上記鋼材の照合作業においては、好ましくない撮像環境下で鋼材の撮像が行われる場合があり得るので、様々な画像認識技術（補正処理等）を利用して画像認識処理の精度を高める必要がある。しかし、このような画像認識技術（補正処理等）を採用した場合、それに起因して画像認識処理に要する処理時間が大きくなり、照合作業全体の作業効率が悪くなる恐れがある。
【００５８】
本実施形態の照合システム１は、このような問題を解決可能に構成している。すなわち、本実施形態の照合システム１は、撮像した画像すべてを用いて画像認識処理を行うのでなく、撮像した画像の中の特定フレームＦで特定される画像のみを用いて画像認識処理を行う。このため、処理対象のデータ量を小さくすることができる。結果、処理時間を短くすることができる。
【００５９】
このように、本実施形態の照合システム１によれば、各々番地が割り振られた複数のエリア各々に複数段に積み重ねて保管された鋼材の照合作業を効率的に、十分な精度で行うことが可能となる。
【００６０】
＜第２の実施形態＞
本実施形態の照合システム１は、同一の番地に保管されている複数の鋼材を一度に照合対象とすることができる点で、第１の実施形態の照合システム１と異なる。以下、本実施形態について説明する。なお、第１の実施形態の照合システム１と同様の構成については、適宜省略を説明する。
【００６１】
本実施形態の照合システム１の機能ブロック図の一例は、第１の実施形態と同様に図１で示される。
【００６２】
入力受付部１２は、例えば、図１１に示すようなユーザインターフェースを利用して、照合対象の鋼材の番地の入力を受付けることができる。入力受付部１２が番地の入力を受付けると、対応情報検索部１３は、記憶部１１に記憶されている対応情報を検索し、入力受付部１２が入力を受付けた番地に対応付けられている段情報（鋼材の識別情報が対応付けられているもの）を取得する。その後、出力部１７は、対応情報検索部１３が取得した段情報を一覧表示する。
【００６３】
図１２に、出力部１７がディスプレイ１００に段情報を一覧表示した一例を示す。ここでは、５つの段情報（丸１乃至丸５）が表示されている。ここで一覧表示される段情報の数は、対応情報上、その番地に保管されていると管理されている鋼材の数に該当する。すなわち、図１２に示す例の場合、対応情報上、ＡＡ１番地に５つの鋼材が５段に積層して保管されていると管理されていることになる。作業者は、この一覧表示された数と、実際にその番地に保管されている鋼材の数とを比較することで、対応情報に存在する誤りを見つけることができる。積層されている鋼材の数が十分に小さい場合（例：１桁台）、作業者による確認ミスが生じる不都合は生じ難い。
【００６４】
入力受付部１２は、一覧表示されている段情報の中の１つ又は複数を選択する入力を受付けることで、１つ又は複数の照合対象の鋼材の段情報の入力を受付ける。図１２に示す例の場合、各段情報に対応付けて表示されたチェックボックスにチェックを入れることで、１つ又は複数の段情報が選択可能になっている。出力部１７は、入力受付部１２が入力を受付けた段情報の数と同数（１つ又は複数）の特定フレームＦをディスプレイ１００に表示する。
【００６５】
以下、入力受付部１２が複数の段情報の入力を受付け、出力部１７が複数の特定フレームＦをディスプレイ１００に表示する場合の各部の構成について説明する。なお、入力受付部１２が１つの段情報の入力を受付け、出力部１７が１つの特定フレームＦをディスプレイ１００に表示する場合の各部の構成は第１の実施形態と同様とすることができる。
【００６６】
図１３に、出力部１７が複数の特定フレームＦをディスプレイ１００に表示した一例を示す。図示するディスプレイ１００には、複数段に積み重ねて保管されている鋼材（図３参照）の一部が表示されている。そして、ディスプレイ１００には、当該画像に重ねて２つの特定フレームＦ１及びＦ２が表示されている。ディスプレイ１００に表示されている複数の特定フレームＦ１及びＦ２各々は、入力受付部１２が入力を受付けた段情報各々と対応付けられている。出力部１７は、対応付けられている段情報が識別できるように、複数の特定フレームＦ１及びＦ２を表示してもよい。
【００６７】
図１３に示す例の場合、特定フレームＦ１及びＦ２各々の左上隅に表示された丸数字が、各々に対応付けられている段情報を示している。すなわち、特定フレームＦ１は、下から３段目の段情報に対応付けられており、特定フレームＦ２は、下から４段目の段情報に対応付けられていることが識別できる。作業者は、このような情報を利用して、複数の特定フレームＦ１及びＦ２各々の中に何段目の鋼材の識別マークを収めるべきか把握することができる。
【００６８】
なお、その他の表示形態により、各特定フレームに対応付けられている段情報を識別表示してもよい。図１４にその他の例を示す。図示する例の場合、特定フレームＦ１及びＦ２に加えて、これらの特定フレームＦ１及びＦ２の上下に補助フレームＧ１乃至Ｇ３が表示されている。当該例の場合、特定フレームＦ１及びＦ２、及び、補助フレームＧ１乃至Ｇ３を含む複数のフレーム群内の位置により、段情報が識別可能になっている。例えば、図１４に示す特定フレームＦ１は、フレーム群の中において下から３段目に位置する。これより、特定フレームＦ１に対応付けられている段情報は、下から３段目であることが分かる。なお、補助フレームＧ１乃至Ｇ３は、特定フレームＦ１及びＦ２と同じデザインで、形状及び大きさのみが異なってもよいし、もしくは、図１４に示すようにデザイン自体も異なっていてもよい。なお、補助フレームＧ１乃至Ｇ３は、特定フレームＦ１及びＦ２に比べて小さくすることができる。このようにすれば、補助フレームＧ１乃至Ｇ３によりディスプレイ１００に表示された撮像対象の画像の視認性が損なわれる不都合を軽減することができる。
【００６９】
ディスプレイ１００に表示されている複数の特定フレームＦ１及びＦ２は、個別に、ユーザ入力に応じて、ディスプレイ１００内の表示位置、形状及び大きさの中の少なくとも１つを変更することができてもよい。その他、１つの特定フレームＦの表示位置、形状及び大きさの中の少なくとも１つを変更すると、他の特定フレームＦも同様に表示位置、形状及び大きさが変更されてもよい。変更する方法は、例えば、複数点を認識可能なタッチパネル型ディスプレイの場合において大きさを変更するときにはピンチイン・ピンチアウトなどの手法によるものがあり、表示位置を変更するときには特定フレーム内の任意の位置をタッチしてドラッグするなどの方法によるものがある。または一点しか認識できないタッチパネル型ディスプレイの場合において大きさを変更するときには特定フレームを構成する一辺または二辺の交点をタッチしドラッグするなどの方法（タッチアンドスライド）によるものがあり、表示位置を変更するときには特定フレーム内の任意の位置をタッチしてドラッグするなどの方法（タッチアンドスライド）によるものがある。またはタッチパネル型でないディスプレイの場合は所定のボタンによるものがある。
【００７０】
撮像部１４は、画像を撮像すると、撮像した画像の画像データに、撮像時点の特定フレームＦの位置（例：画像データ内の位置、ディスプレイ１００内の位置）を示す情報（特定フレーム位置情報）を対応付ける。なお、撮像時点で複数の特定フレームＦが表示されていた場合には、その画像データに複数の特定フレームＦ各々の位置を示す特定フレーム位置情報を対応付ける。当該複数の特定フレーム位置情報各々には、特定フレームＦに対応付けられている段情報が対応付けられる。
【００７１】
画像認識部１５は、撮像部１４が撮像した画像の画像データに複数の特定フレーム位置情報が対応付けられている場合、各特定フレーム位置情報で特定される一部画像各々のみを用いて画像認識処理を行う。そして、画像認識部１５は、複数の認識結果（識別情報）を得る。画像認識処理の内容は第１の実施形態と同様である。画像認識部１５により認識された複数の識別情報各々には、各特定フレーム位置情報に対応付けられていた段情報が対応付けられる。
【００７２】
対応情報検索部１３は、記憶部１１が記憶する対応情報を検索し、入力受付部１２が入力を受付けた番地と、複数の段情報のいずれかと、に対応付けられている複数の識別情報を取得する。
【００７３】
照合部１６は、対応情報検索部１３が取得した複数の識別情報と、画像認識部１５が認識した複数の識別情報とが一致するか否か判別する。具体的には、対応付けられている段情報が一致する識別情報同士を比較し、一致するか否か判別する。そして、照合部１６は、段情報ごとに判別結果を得る。
【００７４】
ここで、図１５に、出力部１７が照合部１６の判別結果をディスプレイ１００に表示した一例を示す。当該例では、ＡＡ１番地に保管されている５つの鋼材すべてが照合対象となっており、各々の認識結果及び照合結果が示されている。下から２段目の鋼材は画像認識部１５による認識の精度が不十分であり、その結果、認証結果がＮＧになっている。当該ユーザインターフェースにおいて「ＮＧ」のボタンをタッチすると、図１０に示す画面に遷移してもよい。図１０に示すユーザインターフェースを用いた処理は第１の実施形態と同様である。
【００７５】
以上説明した本実施形態の照合システム１によれば、第１の実施形態と同様の作用効果を実現することができる。また、複数の鋼材を一度に照合対象とすることができるので、照合処理の作業効率が向上する。また、複数の鋼材各々の識別マークは、複数の特定フレームＦ各々で区別して特定されるので、画像中から識別マークを抽出する処理の精度を向上させることができる。
【００７６】
＜第３の実施形態＞
本実施形態の照合システム１は、同一の番地に保管されている複数の鋼材を一度に照合対象とすることができる点で、第１の実施形態の照合システム１と異なる。以下、本実施形態について説明する。なお、第１の実施形態の照合システム１と同様の構成については、適宜省略を説明する。
【００７７】
本実施形態の照合システム１の機能ブロック図の一例は、第１の実施形態と同様に図１で示される。
【００７８】
入力受付部１２は、例えば、図１１に示すようなユーザインターフェースを利用して、照合対象の鋼材の番地の入力を受付けることができる。すると、対応情報検索部１３は、記憶部１１に記憶されている対応情報を検索し、入力受付部１２が入力を受付けた番地に保管されている鋼材（第１の鋼材）の数を特定する。例えば、対応情報検索部１３は、記憶部１１に記憶されている対応情報を検索し、入力受付部１２が入力を受付けた番地に対応付けられている鋼材の識別情報の数を認識することで、その番地に保管されている第１の鋼材の数を特定してもよい。すると、出力部１７は、第１の鋼材の数と同数の１つ又は複数の特定フレームＦをファインダー（ディスプレイ）に表示する。
【００７９】
以下、第１の鋼材の数が複数である場合の各部の構成について説明する。第１の鋼材の数が１つの場合の各部の構成は第１の実施形態と同様とすることができる。
【００８０】
図１６に、出力部１７がディスプレイ１００に第１の鋼材の数と同数の複数の特定フレームＦを表示した例を示す。ディスプレイ１００には、積層された５つの鋼材が表示されている。また、鋼材の画像に重ねて、５つの特定フレームＦ１乃至Ｆ５が表示されている。５つの特定フレームＦ１乃至Ｆ５は、各々、段情報が対応付けられている。そして、出力部１７は、対応付けられている段情報を識別できるように、複数の特定フレームＦ１乃至Ｆ５を表示している。図示する例の場合、５つの特定フレームＦ１乃至Ｆ５の並び順に従い、下から順に１段目乃至５段目が対応付けられている。すなわち、作業者は、複数の特定フレームＦ１乃至Ｆ５の並び順に基づいて、特定フレームＦ１乃至Ｆ５各々に対応付けられている段情報を識別することができる。作業者は、このような情報を利用して、複数の特定フレームＦ１乃至Ｆ５各々の中に何段目の鋼材の識別マークを収めるべきか把握することができる。なお、第２の実施形態と同様の構成により、各特定フレームに対応付けられている段情報を識別表示することもできる。
【００８１】
図１６に示す例の場合、各特定フレームＦに対応付けてバツマークＭが表示されている。当該バツマークＭをタッチすると、そのバツマークＭが対応付けられている特定フレームは消滅してもよいし、又は、第２の実施形態で説明した補助フレームに変化してもよい。すなわち、入力受付部１２は、複数の特定フレームＦ１乃至Ｆ５の中の１つ又は複数を選択する入力を受付けることで、照合対象の鋼材の段情報の入力を受付けてもよい。図１６に示す例の場合、バツマークＭをタッチされていない特定フレームＦに対応する段情報、換言すれば、入力受付部１２が撮像指示入力を受付けた時にディスプレイ１００に残っている特定フレームＦに対応する段情報が、照合対象の鋼材の段情報として入力される。
【００８２】
ディスプレイ１００に表示されている複数の特定フレームＦ１乃至Ｆ５は、個別に、ユーザ入力に応じて、ディスプレイ１００内の表示位置、形状及び大きさの中の少なくとも１つを変更することができてもよい。その他、１つの特定フレームＦの表示位置、形状及び大きさの中の少なくとも１つを変更すると、他の特定フレームＦも同様に表示位置、形状及び大きさが変更されてもよい。変更する方法は、例えば、複数点を認識可能なタッチパネル型ディスプレイの場合において大きさを変更するときにはピンチイン・ピンチアウトなどの手法によるものがあり、表示位置を変更するときには特定フレーム内の任意の位置をタッチしてドラッグするなどの方法によるものがある。または一点しか認識できないタッチパネル型ディスプレイの場合において大きさを変更するときには特定フレームを構成する一辺または二辺の交点をタッチしドラッグするなどの方法によるものがあり、表示位置を変更するときには特定フレーム内の任意の位置をタッチしてドラッグするなどの方法によるものがある。またはタッチパネル型でないディスプレイの場合は所定のボタンによるものがある。
【００８３】
撮像部１４は、画像を撮像すると、撮像した画像の画像データに、撮像時点の特定フレームＦの位置（例：画像データ内の位置、ディスプレイ１００内の位置）を示す情報（特定フレーム位置情報）を対応付ける。なお、撮像時点で複数の特定フレームＦが表示されていた場合には、その画像データに複数の特定フレームＦ各々の位置を示す特定フレーム位置情報を対応付ける。当該複数の特定フレーム位置情報各々には、特定フレームＦに対応付けられている段情報が対応付けられる。
【００８４】
画像認識部１５は、撮像部１４が撮像した画像の画像データに複数の特定フレーム位置情報が対応付けられている場合、各特定フレーム位置情報で特定される一部画像各々のみを用いて画像認識処理を行う。そして、画像認識部１５は、複数の認識結果（識別情報）を得る。画像認識処理の内容は第１の実施形態と同様である。画像認識部１５により認識された複数の識別情報各々には、各特定フレーム位置情報に対応付けられていた段情報が対応付けられる。
【００８５】
対応情報検索部１３は、記憶部１１が記憶する対応情報を検索し、入力受付部１２が入力を受付けた番地と、複数の段情報のいずれかと、に対応付けられている複数の識別情報を取得する。
【００８６】
照合部１６は、対応情報検索部１３が取得した複数の識別情報と、画像認識部１５が認識した複数の識別情報とが一致するか否か判別する。具体的には、対応付けられている段情報が一致する識別情報同士を比較し、一致するか否か判別する。そして、照合部１６は、段情報ごとに判別結果を得る。
【００８７】
ここで、図１５に、出力部１７が照合部１６の判別結果をディスプレイ１００に表示した一例を示す。当該例では、ＡＡ１番地に保管されている５つの鋼材すべてが照合対象となっており、各々の認識結果及び照合結果が示されている。下から２段目の鋼材は画像認識部１５による認識の精度が不十分であり、その結果、照合結果がＮＧになっている。当該ユーザインターフェースにおいて「ＮＧ」のボタンをタッチすると、図１０に示す画面に遷移してもよい。図１０に示すユーザインターフェースを用いた処理は第１の実施形態と同様である。
【００８８】
以上説明した本実施形態の照合システム１によれば、第１及び第２の実施形態と同様の作用効果を実現することができる。また、複数の鋼材を一度に照合対象とすることができるので、照合処理の作業効率が向上する。また、複数の鋼材各々の識別マークは、複数の特定フレームＦ各々で区別して特定されるので、画像中から識別マークを抽出する処理の精度を向上させることができる。
【００８９】
＜第４の実施形態＞
本実施形態の照合システム１は、複数の鋼材を一度に照合対象とすることができる第２の実施形態及び第３の実施形態の構成を基本とする。すなわち、本実施形態の照合システ１は、複数の特定フレームＦをディスプレイ１００に表示することができる。
【００９０】
ところで、複数段に積み重ねて保管された複数の鋼材の識別マークの位置が、図３に示すようにほぼ一列（例：積層方向に一列。図３の上下方向。）に揃っていると、図１３、図１４及び図１６に示すような一列に揃った複数の特定フレームＦ各々の中に、複数の識別マーク各々を収めることができる。しかし、図１７に示すように、識別マークは一列に揃わず、その位置がばらつくことがある。このような場合、図１７の左側の図に示すように、一列に揃った複数の特定フレームＦ各々の中に、複数の識別マーク各々を収めることができない。
【００９１】
そこで、本実施形態の入力受付部１２は、複数の特定フレームＦを各々個別に移動させることができる（図１７の右側の図）。例えば、図１７に示すユーザインターフェースにおいて、特定フレームＦをタッチアンドスライドさせることで、特定フレームＦの表示位置が移動してもよい。結果、図１７の右側の図に示すように、識別マークが一列に揃っていない場合であっても、複数の特定フレームＦ各々の中に、複数の識別マーク各々を収めることができる。
【００９２】
本実施形態の照合システム１のその他の構成は、第１乃至第３の実施形態と同様である。
【００９３】
以上説明した本実施形態の照合システム１によれば、第１乃至第３の実施形態と同様の作用効果を実現することができる。また、複数段に積み重ねて保管された複数の鋼材の識別マークの位置が一列に揃わず、ばらついている場合であっても、複数の特定フレームＦ各々の中に、複数の識別マーク各々を収めることができる。
【００９４】
＜第５の実施形態＞
本実施形態の照合システム１は、複数の鋼材を一度に照合対象とすることができる第２の実施形態及び第３の実施形態の構成を基本とする。すなわち、本実施形態の照合システ１は、複数の特定フレームＦをディスプレイ１００に表示することができる。
【００９５】
本実施形態の照合システム１は、複数段に積み重ねて保管された複数の鋼材の識別マークの位置が一列（例：積層方向に一列）に揃わず、ばらついている場合の不都合を、第４の実施形態と異なる構成で解決可能に構成している。
【００９６】
入力受付部１２は、ディスプレイ１００に表示されている複数の特定フレームＦの中の一部を指定する指定入力と、一部の特定フレームＦが指定されている状態で撮像する撮像指示入力とを受付ける。撮像部１４は、入力受付部１２が受付けた撮像指示入力に従い撮像する。そして、画像認識部１５は、撮像部１４が撮像した画像の中の当該画像撮像時に指定されていた特定フレームＦ内の一部画像のみを用いて画像認識処理を行う。なお、出力部１７は、指定された状態で撮像されたことがある特定フレームＦと、指定された状態で撮像されたことがない特定フレームＦとを識別可能に表示してもよい。以下具体例を用いて、より詳細に説明する。
【００９７】
図１８に出力部１７による表示例を示す。図示する例の場合、ディスプレイ１００には複数の鋼材の一部が表示されている。複数の鋼材各々に表示された識別マークの位置は一列（例：積層方向に一列）に揃わず、ばらついている。ディスプレイ１００には、３つの特定フレームＦ１乃至Ｆ３が表示されている。そして、各特定フレームＦ１乃至Ｆ３の左上隅に、３つの記号が記されている。これら３つの記号は、左から順に、「対応付けられている段情報を示す情報」、「指定された状態で撮像されたことがあるか否かを示す情報」、「指定されているか否かを示す情報」となっている。「対応付けられている段情報を示す情報」は、第２の実施形態で説明したとおりである。
【００９８】
「指定された状態で撮像されたことがあるか否かを示す情報」は「済」又は「未」の文字である。「済」は指定された状態で撮像されたことがあることを示し、「未」は指定された状態で撮像されたことがないことを示す。「指定されているか否かを示す情報」はチェックボックスとなっており、作業者による入力が可能になっている。チェックが入っている特定フレームＦは指定されている特定フレームＦであり、チェックが入っていない特定フレームＦは指定されていない特定フレームＦである。なお、指定された状態で撮像されたことがある特定フレームＦはチェックできないようになっている。
【００９９】
作業者は、例えば図１８に示すように複数の特定フレームＦの中の一部のみ（図の場合、Ｆ１）がそのフレーム内に識別マークを収めている場合、その一部のみを指定する。すなわち、チェックボックスにチェックを入れる。もしくは１つまたは複数の特定フレームＦを指定し、その指定した特定フレームＦ内に所定の鋼材の識別マークを収める。そして、当該状態を維持したまま撮像指示入力（撮影ボタンのタッチ）を行う。入力受付部１２が撮像指示入力を受付けると、撮像部１４は画像を撮像し、撮像した画像の画像データに、撮像時点で指定されていた特定フレームＦ１の位置を示す情報（特定フレーム位置情報）を対応付ける。また、入力受付部１２は撮像時点で指定されていた特定フレームＦ１に対応付けられている段情報を、照合対象の鋼材の段情報として受付ける。そして、入力受付部１２が受付けた段情報は、上記画像の画像データに対応付けられる。
【０１００】
図１８に示す状態で撮像部１４が画像を撮像した後も、出力部１７は図１８に示す画面表示を継続してもよい。ただし、特定フレームＦ１は指定された状態で撮像されたので、左上隅にある「未」の文字が「済」に代わる。また、特定フレームＦ３と同様に、チェックボックスが選択できない状態となる。作業者はそのような表示を視認することで、未だ撮像を行っていないのは下から２段目の鋼材の識別マークであることを認識することができる。
【０１０１】
作業者は、１つ又は複数の鋼材の識別マークを撮像すると、照合処理を開始する指示入力（照合ボタンのタッチ）を行うことができる。入力受付部１２がこのような照合処理を開始する指示入力を受付けると、それまでに撮像された画像の画像データ、特定フレーム位置情報及び段情報を用いて、画像認識部１５、照合部１６、対応情報検索部１３及び記憶部１１による照合処理、及び、出力部１７による照合結果の出力が行われる。画像認識部１５、照合部１６、対応情報検索部１３及び記憶部１１による照合処理、及び、出力部１７による照合結果の出力の内容は第１乃至第４の実施形態と同様である。
【０１０２】
以上説明した本実施形態の照合システム１によれば、第１乃至第４の実施形態と同様の作用効果を実現することができる。また、複数段に積み重ねて保管された複数の鋼材の識別マークの位置が一列に揃わず、ばらついている場合であっても、複数の特定フレームＦ各々の中に、個別に複数の識別マーク各々を収め、撮像することができる。なお、作業者は、各特定フレームＦに対応付けられている「指定された状態で撮像されたことがあるか否かを示す情報」を参照することで、複数段に積み重ねて保管された複数の鋼材の中の、いまだ照合対象としていない鋼材を認識することができる。
【０１０３】
＜第６の実施形態＞
本実施形態の照合システム１は、互いに有線及び／又は無線で通信可能に構成された端末装置と、サーバ装置とを有する点で、第１乃至第５の実施形態と異なる。
【０１０４】
図１９に、本実施形態の照合システム１の機能ブロック図の一例を示す。端末装置２は、入力受付部１２と、撮像部１４と、出力部１７と、端末側送受信部１８とを有する。サーバ装置３は、記憶部１１と、対応情報検索部１３と、画像認識部１５と、照合部１６と、サーバ側送受信部１９とを有する。端末装置２とサーバ装置３は、端末側送受信部１８及びサーバ側送受信部１９を介して通信可能なっている。
【０１０５】
図２０に、本実施形態の照合システム１の機能ブロック図の他の一例を示す。端末装置２は、入力受付部１２と、撮像部１４と、画像認識部１５と、出力部１７と、端末側送受信部１８とを有する。サーバ装置３は、記憶部１１と、対応情報検索部１３と、照合部１６と、サーバ側送受信部１９とを有する。端末装置２とサーバ装置３は、端末側送受信部１８及びサーバ側送受信部１９を介して通信可能なっている。
【０１０６】
図１９及び図２０に示す端末側送受信部１８及びサーバ側送受信部１９を除くその他の部の構成は、第１乃至第５の実施形態と同様である。
【０１０７】
端末側送受信部１８及びサーバ側送受信部１９は、有線及び／又は無線で通信可能に構成されており、データの送受信が可能になっている。
【０１０８】
端末側送受信部１８は、撮像部１４が撮像した画像の中の特定フレームＦ内の一部画像の画像データのみをサーバ装置３（外部装置）に送信してもよい。または、端末側送受信部１８は、撮像部１４が撮像した画像の中の特定フレームＦ内の一部画像を識別する情報（例：特定フレームＦの位置を示す特定フレーム位置情報）とともに、画像のデータをサーバ装置３（外部装置）に送信してもよい。
【０１０９】
以下、図２１のシーケンス図を用いて、本実施形態の照合方法の処理の流れの一例を説明する。なお、端末側送受信部１８は、撮像部１４が撮像した画像の中の特定フレームＦ内の一部画像を識別する情報（例：特定フレームＦの位置を示す特定フレーム位置情報）とともに、画像のデータをサーバ装置３（外部装置）に送信するものとする。
【０１１０】
まず、端末装置２の入力受付部１２が、例えば図１１に示すようなユーザインターフェースを介して、照合対象の鋼材の番地の入力を受付ける（Ｓ１０）。すると、端末装置２の端末側送受信部１８が番地の情報をサーバ装置３に送信する（Ｓ１１）。サーバ装置３は、サーバ側送受信部１９を介して番地の情報を受信する。その後、サーバ装置３の対応情報検索部１３はその番地をキーとして記憶部１１が記憶している対応情報（図４参照）を検索し、キーに対応付けられている段情報（鋼材の識別情報が対応付けられているもの）を取得する（Ｓ１２）。すると、サーバ装置３のサーバ側送受信部１９は、取得した段情報を端末装置２に返信する（Ｓ１３）。端末装置２は、端末側送受信部１８を介して段情報を取得する。なお、ここで送受信される段情報には、Ｓ１１で受信した番地が対応付けられていてもよい。
【０１１１】
すると、端末装置２の出力部１７は、例えば図１２に示すように、取得した段情報をディスプレイ１００に一覧表示する。そして、入力受付部１２は、当該ユーザインターフェースから、１つ又は複数の段情報を指定する入力を受付ける（Ｓ１４）。１つ又は複数の段情報を指定する入力を受付けると、端末装置２は撮像モードに切り替わる。すなわち、出力部１７は、例えば図１３に示すように、ディスプレイ１００に撮像対象となる画像を表示する。また、出力部１７は、ディスプレイ１００に、Ｓ１４で指定された段情報と同数の特定フレームＦ１及びＦ２を表示する。なお、特定フレームＦ１及びＦ２各々の左上隅に表示された丸数字が、各々に対応付けられている段情報を示している。作業者は、このような情報を利用して、複数の特定フレームＦ１及びＦ２各々の中に何段目の鋼材の識別マークを収めるべきか把握することができる。
【０１１２】
作業者は、照合システム１の位置、向き等を調整することで、表示されている１つ又は複数の特定フレームＦ各々に所定の識別マークを収める。そして、作業者は、当該状態を維持させたまま撮像指示入力（例：撮影ボタンのタッチ）を行う。すると、撮像部１４は、ディスプレイ１００に表示されていた画像を撮像する（Ｓ１５）。そして、撮像部１４は、撮像した画像の画像データに、撮像時点で表示されている１つ又は複数の特定フレームＦ各々の位置を示す情報（特定フレーム位置情報）を対応付ける。なお、特定フレーム位置情報が複数対応付けられる場合、各々に、各特定フレームＦに対応付けられていた段情報が対応付けられる。
【０１１３】
すると、端末装置２の端末側送受信部１８は、撮像画像の画像データを、対応付けられている特定フレーム位置情報及び段情報とともに、サーバ装置３に送信する（Ｓ１６）。サーバ装置３は、サーバ側送受信部１９を介して、撮像画像の画像データ、特定フレーム位置情報及び段情報を受信する。なお、ここで送受信される画像データ、特定フレーム位置情報及び段情報には、Ｓ１３で受信した段情報に対応付けられていた番地が対応付けられていてもよい。
【０１１４】
その後、サーバ装置３の画像認識部１５は、撮像部１４が撮像した画像の中の特定フレーム内の一部画像のみを用いて画像認識処理を行う。画像認識部１５は、１つ又は複数の鋼材各々の表面に記されている識別マークを抽出するとともに、抽出した識別マークを用いて識別情報を認識する（Ｓ１７）。また、対応情報検索部１３は、Ｓ１６で取得した番地及び段情報をキーとして記憶部１１の対応情報を検索し、１つ又は複数の識別情報を取得する。そして、照合部１６は、対応情報検索部１３が取得した識別情報と、画像認識部１５が認識した識別情報とを利用して、これらが一致するか否か判別する（Ｓ１８：照合処理）。なお、対応情報検索部１３が取得した識別情報、及び、画像認識部１５が認識した識別情報が各々複数存在する場合、段情報が一致する識別情報同士を照合処理する。
【０１１５】
すると、サーバ装置３のサーバ側送受信部１９は、Ｓ１８の判別結果を端末装置２に返信する（Ｓ１９）。端末装置２は、端末側送受信部１８を介して判別結果を取得する。なお、ここで送受信される判別結果には、番地及び段情報が対応付けられていてもよい。その後、端末装置２の出力部１７は、例えば、図１５に示すようなユーザインターフェースを作成して、ディスプレイ１００に表示する（Ｓ２０）。
【０１１６】
以上説明した本実施形態の照合システム１によれば、第１乃至第５の実施形態と同様の作用効果を実現することができる。
【０１１７】
＜付記＞
以下、参考形態の例を付記する。
１．  各々番地が割り振られた複数のエリア各々に複数段に積み重ねて保管される複数の鋼材の照合を行う照合システムであって、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段と、
照合対象の前記鋼材の前記番地及び前記段情報の入力を受付ける入力受付手段と、
前記対応情報を参照し、前記入力受付手段が入力を受付けた前記番地及び前記段情報に対応付けられている前記識別情報を取得する対応情報検索手段と、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている画像を撮像する撮像手段と、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段と、
前記対応情報検索手段が取得した前記識別情報と、前記画像認識手段が認識した前記識別情報とが一致するか否か判別する照合手段と、
を有する照合システム。
２．  １に記載の照合システムにおいて、
前記出力手段は、前記照合手段の判別結果を出力する照合システム。
３．  １又は２に記載の照合システムにおいて、
前記出力手段は、前記画像認識手段による認識結果を出力する照合システム。
４．  １から３のいずれかに記載の照合システムにおいて、
前記照合システムは同一の前記番地に保管されている複数の前記鋼材を一度に照合対象とすることができ、
前記入力受付手段は、照合対象の複数の前記鋼材が保管されている前記番地及び複数の前記段情報の入力を受付けることができ、
前記出力手段は、前記入力受付手段が入力を受付けた前記段情報の数と同数の複数の前記特定フレームを前記ファインダーに表示する照合システム。
５．  ４に記載の照合システムにおいて、
複数の前記特定フレーム各々は、前記入力受付手段が入力を受付けた前記段情報各々と対応付けられており、
前記出力手段は、対応付けられている前記段情報が識別できるように、複数の前記特定フレームを表示する照合システム。
６．  ４又は５に記載の照合システムにおいて、
前記対応情報検索手段は、前記入力受付手段が入力を受付けた前記番地に対応付けられている前記段情報を取得し、
前記出力手段は、前記対応情報検索手段が取得した前記段情報を一覧表示し、
前記入力受付手段は、前記一覧表示されている前記段情報の中の１つ又は複数を選択する入力を受付けることで、照合対象の前記鋼材の前記段情報の入力を受付ける照合システム。
７．  １から３のいずれかに記載の照合システムにおいて、
前記照合システムは同一の前記番地に保管されている複数の前記鋼材を一度に照合対象とすることができ、
前記対応情報検索手段は、前記入力受付手段が入力を受付けた前記番地に保管されている前記鋼材である第１の前記鋼材の数を、前記対応情報において当該番地に対応付けられている前記鋼材の前記識別情報の数を認識することで特定し、
前記出力手段は、前記第１の鋼材の数と同数の複数の前記特定フレームを前記ファインダーに表示する照合システム。
８．  ７に記載の照合システムにおいて、
複数の前記特定フレーム各々には、前記第１の鋼材各々に対応付けられている前記段情報が対応付けられており、
前記出力手段は、対応付けられている前記段情報が識別できるように、複数の前記特定フレームを表示する照合システム。
９．  ８に記載の照合システムにおいて、
前記入力受付手段は、前記ファインダーに表示されている複数の前記特定フレームの中の１つ又は複数を選択する入力を受付けることで、照合対象の前記鋼材の前記段情報の入力を受付ける照合システム。
１０．  ４から９のいずれかに記載の照合システムにおいて、
前記ファインダーに表示されている複数の前記特定フレームは、個別に、前記ファインダー内の表示位置、形状及び大きさの中の少なくとも１つを変更することができる照合システム。
１１．  ４から１０のいずれかに記載の照合システムにおいて、
前記入力受付手段は、前記ファインダーに表示されている複数の前記特定フレームの中の一部を指定する指定入力と、一部の前記特定フレームが指定されている状態で撮像する撮像指示入力とを受付け、
前記撮像手段は、前記入力受付手段が受付けた前記撮像指示入力に従い撮像し、
前記画像認識手段は、前記撮像手段が撮像した前記画像の中の当該画像撮像時に指定されていた前記特定フレーム内の一部画像のみを用いて画像認識処理を行う照合システム。
１２．  １１に記載の照合システムにおいて、
前記出力手段は、指定された状態で撮像されたことがある前記特定フレームと、指定された状態で撮像されたことがない前記特定フレームとを識別可能に表示する照合システム。
１３．  １から１２のいずれかに記載の照合システムにおいて、
前記照合システムは、互いに通信可能に構成された端末装置と、サーバ装置とを有し、
前記端末装置は、前記入力受付手段と、前記出力手段と、前記撮像手段とを有し、
前記サーバ装置は、前記記憶手段と、前記対応情報検索手段と、前記照合手段とを有し、
前記端末装置及び前記サーバ装置のいずれかが、前記画像認識手段を備える照合システム。
１４．  １から１２のいずれかに記載の照合システムが有する前記入力受付手段と、前記出力手段と、前記撮像手段とを備える端末装置。
１５．  ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを外部装置に送信する送信手段と、を有する端末装置。
１６．  ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像を識別する情報とともに、前記画像を外部装置に送信する送信手段と、を有する端末装置。
１７．  １から１２のいずれかに記載の照合システムが有する前記記憶手段と、前記対応情報検索手段と、前記照合手段とを備えるサーバ装置。
１８．  １７に記載のサーバ装置において、１から１２のいずれかに記載の照合システムが有する前記画像認識手段をさらに備えるサーバ装置。
１９．  ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像のみを外部装置に送信する送信手段、
として機能させるためのプログラム。
２０．  ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像を識別する情報とともに、前記画像を外部装置に送信する送信手段、
として機能させるためのプログラム。
２１．  各々番地が割り振られた複数のエリア各々に複数段に積み重ねて保管される複数の鋼材の照合を行う照合システム用のプログラムであって、
コンピュータを、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段、
照合対象の前記鋼材の前記番地及び前記段情報の入力を受付ける入力受付手段、
前記対応情報を参照し、前記入力受付手段が入力を受付けた前記番地及び前記段情報に対応付けられている前記識別情報を取得する対応情報検索手段、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記ファインダーに表示されている前記画像を撮像する撮像手段、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段、
前記対応情報検索手段が取得した前記識別情報と、前記画像認識手段が認識した前記識別情報とが一致するか否か判別する照合手段、
として機能させるためのプログラム。
２１−２．  ２１に記載のプログラムにおいて、
前記出力手段に、前記照合手段の判別結果を出力させるプログラム。
２１−３．  ２１又は２１−２に記載のプログラムにおいて、
前記出力手段に、前記画像認識手段による認識結果を出力させるプログラム。
２１−４．  ２１から２１−３のいずれかに記載のプログラムにおいて、
同一の前記番地に保管されている複数の前記鋼材を一度に照合対象とするために、
前記入力受付手段に、照合対象の複数の前記鋼材が保管されている前記番地及び複数の前記段情報の入力を受付けさせ、
前記出力手段に、前記入力受付手段が入力を受付けた前記段情報の数と同数の複数の前記特定フレームを前記ファインダーに表示させるプログラム。
２１−５．  ２１−４に記載のプログラムにおいて、
複数の前記特定フレーム各々を、前記入力受付手段が入力を受付けた前記段情報各々と対応付け、
前記出力手段に、対応付けられている前記段情報が識別できるように、複数の前記特定フレームを表示させるプログラム。
２１−６．  ２１−４又は２１−５に記載のプログラムにおいて、
前記対応情報検索手段に、前記入力受付手段が入力を受付けた前記番地に対応付けられている前記段情報を取得させ、
前記出力手段に、前記対応情報検索手段が取得した前記段情報を一覧表示させ、
前記入力受付手段に、前記一覧表示されている前記段情報の中の１つ又は複数を選択する入力を受付けさせることで、照合対象の前記鋼材の前記段情報の入力を受付けさせるプログラム。
２１−７．  ２１から２１−３のいずれかに記載のプログラムにおいて、
同一の前記番地に保管されている複数の前記鋼材を一度に照合対象とするために、
前記対応情報検索手段に、前記入力受付手段が入力を受付けた前記番地に保管されている前記鋼材である第１の前記鋼材の数を、前記対応情報において当該番地に対応付けられている前記鋼材の前記識別情報の数を認識することで特定させ、
前記出力手段に、前記第１の鋼材の数と同数の複数の前記特定フレームを前記ファインダーに表示させるプログラム。
２１−８．  ２１−７に記載のプログラムにおいて、
複数の前記特定フレーム各々を、前記第１の鋼材各々に対応付けられている前記段情報と対応付け、
前記出力手段に、対応付けられている前記段情報が識別できるように、複数の前記特定フレームを表示させるプログラム。
２１−９．  ２１−８に記載のプログラムにおいて、
前記入力受付手段に、前記ファインダーに表示されている複数の前記特定フレームの中の１つ又は複数を選択する入力を受付けることで、照合対象の前記鋼材の前記段情報の入力を受付けさせるプログラム。
２１−１０．  ２１−４から２１−９のいずれかに記載のプログラムにおいて、
前記コンピュータを、
前記ファインダーに表示されている複数の前記特定フレームを、個別に、前記ファインダー内の表示位置、形状及び大きさの中の少なくとも１つを変更する手段として機能させるプログラム。
２１−１１．  ２１−４から２１−１０のいずれかに記載のプログラムにおいて、
前記入力受付手段に、前記ファインダーに表示されている複数の前記特定フレームの中の一部を指定する指定入力と、一部の前記特定フレームが指定されている状態で撮像する撮像指示入力とを受付けさせ、
前記撮像手段に、前記入力受付手段が受付けた前記撮像指示入力に従い撮像させ、
前記画像認識手段に、前記撮像手段が撮像した前記画像の中の当該画像撮像時に指定されていた前記特定フレーム内の一部画像のみを用いて画像認識処理を行わせるプログラム。
２１−１２．  ２１−１１に記載のプログラムにおいて、
前記出力手段に、指定された状態で撮像されたことがある前記特定フレームと、指定された状態で撮像されたことがない前記特定フレームとを識別可能に表示させるプログラム。
２２．  各々番地が割り振られた複数のエリア各々に複数段に積み重ねて保管される複数の鋼材の照合を行う照合方法であって、
コンピュータが、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶しておき、
照合対象の前記鋼材の前記番地及び前記段情報の入力を受付ける入力受付ステップと、
前記対応情報を参照し、前記入力受付ステップで入力を受付けた前記番地及び前記段情報に対応付けられている前記識別情報を取得する対応情報検索ステップと、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力ステップと、
前記ファインダーに表示されている前記画像を撮像する撮像ステップと、
前記撮像ステップで撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識ステップと、
前記対応情報検索ステップで取得した前記識別情報と、前記画像認識ステップで認識した前記識別情報とが一致するか否か判別する照合ステップと、
を実行する照合方法。
２２−２．  ２２に記載の照合方法において、
前記出力ステップでは、前記照合ステップでの判別結果を出力する照合方法。
２２−３．  ２２又は２２−２に記載の照合方法において、
前記出力ステップでは、前記画像認識ステップでの認識結果を出力する照合方法。
２２−４．  ２２から２２−３のいずれかに記載の照合方法において、
前記照合方法は同一の前記番地に保管されている複数の前記鋼材を一度に照合対象とすることができ、
前記入力受付ステップでは、照合対象の複数の前記鋼材が保管されている前記番地及び複数の前記段情報の入力を受付けることができ、
前記出力ステップでは、前記入力受付ステップで入力を受付けた前記段情報の数と同数の複数の前記特定フレームを前記ファインダーに表示する照合方法。
２２−５．  ２２−４に記載の照合方法において、
複数の前記特定フレーム各々は、前記入力受付ステップで入力を受付けた前記段情報各々と対応付けられており、
前記出力ステップでは、対応付けられている前記段情報が識別できるように、複数の前記特定フレームを表示する照合方法。
２２−６．  ２２−４又は２２−５に記載の照合方法において、
前記対応情報検索ステップでは、前記入力受付ステップで入力を受付けた前記番地に対応付けられている前記段情報を取得し、
前記出力ステップでは、前記対応情報検索ステップで取得した前記段情報を一覧表示し、
前記入力受付ステップでは、前記一覧表示されている前記段情報の中の１つ又は複数を選択する入力を受付けることで、照合対象の前記鋼材の前記段情報の入力を受付ける照合方法。
２２−７．  ２２から２２−３のいずれかに記載の照合方法において、
前記照合方法は同一の前記番地に保管されている複数の前記鋼材を一度に照合対象とすることができ、
前記対応情報検索ステップでは、前記入力受付ステップで入力を受付けた前記番地に保管されている前記鋼材である第１の前記鋼材の数を、前記対応情報において当該番地に対応付けられている前記鋼材の前記識別情報の数を認識することで特定し、
前記出力ステップでは、前記第１の鋼材の数と同数の複数の前記特定フレームを前記ファインダーに表示する照合方法。
２２−８．  ２２−７に記載の照合方法において、
複数の前記特定フレーム各々には、前記第１の鋼材各々に対応付けられている前記段情報が対応付けられており、
前記出力ステップでは、対応付けられている前記段情報が識別できるように、複数の前記特定フレームを表示する照合方法。
２２−９．  ２２−８に記載の照合方法において、
前記入力受付ステップでは、前記ファインダーに表示されている複数の前記特定フレームの中の１つ又は複数を選択する入力を受付けることで、照合対象の前記鋼材の前記段情報の入力を受付ける照合方法。
２２−１０．  ２２−４から２２−９のいずれかに記載の照合方法において、
前記ファインダーに表示されている複数の前記特定フレームは、個別に、前記ファインダー内の表示位置、形状及び大きさの中の少なくとも１つを変更することができる照合方法。
２２−１１．  ２２−４から２２−１０のいずれかに記載の照合方法において、
前記入力受付ステップでは、前記ファインダーに表示されている複数の前記特定フレームの中の一部を指定する指定入力と、一部の前記特定フレームが指定されている状態で撮像する撮像指示入力とを受付け、
前記撮像ステップでは、前記入力受付ステップで受付けた前記撮像指示入力に従い撮像し、
前記画像認識ステップでは、前記撮像ステップで撮像した前記画像の中の当該画像撮像時に指定されていた前記特定フレーム内の一部画像のみを用いて画像認識処理を行う照合方法。
２２−１２．  ２２−１１に記載の照合方法において、
前記出力ステップでは、指定された状態で撮像されたことがある前記特定フレームと、指定された状態で撮像されたことがない前記特定フレームとを識別可能に表示する照合方法。
【０１１８】
この出願は、２０１３年３月１３日に出願された日本出願特願２０１３−０５０８４３号を基礎とする優先権を主張し、その開示の全てをここに取り込む。
【図１】
2014141534.tif 000003
【図２】
2014141534.tif 000004
【図３】
2014141534.tif 000005
【図４】
2014141534.tif 000006
【図５】
2014141534.tif 000007
【図６】
2014141534.tif 000008
【図７】
2014141534.tif 000009
【図８】
2014141534.tif 000010
【図９】
2014141534.tif 000011
【図１０】
2014141534.tif 000012
【図１１】
2014141534.tif 000013
【図１２】
2014141534.tif 000014
【図１３】
2014141534.tif 000015
【図１４】
2014141534.tif 000016
【図１５】
2014141534.tif 000017
【図１６】
2014141534.tif 000018
【図１７】
2014141534.tif 000019
【図１８】
2014141534.tif 000020
【図１９】
2014141534.tif 000021
【図２０】
2014141534.tif 000022
【図２１】
2014141534.tif 000023
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
各々番地が割り振られた複数のエリア各々に複数段に積み重ねて保管される複数の鋼材の照合を行う照合システムであって、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段と、
照合対象の前記鋼材の前記番地及び前記段情報の入力を受付ける入力受付手段と、
前記対応情報を参照し、前記入力受付手段が入力を受付けた前記番地及び前記段情報に対応付けられている前記識別情報を取得する対応情報検索手段と、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている画像を撮像する撮像手段と、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段と、
前記対応情報検索手段が取得した前記識別情報と、前記画像認識手段が認識した前記識別情報とが一致するか否か判別する照合手段と、
を有する照合システム。
【請求項２】
請求項１に記載の照合システムにおいて、
前記出力手段は、前記照合手段の判別結果を出力する照合システム。
【請求項３】
請求項１又は２に記載の照合システムにおいて、
前記出力手段は、前記画像認識手段による認識結果を出力する照合システム。
【請求項４】
請求項１から３のいずれか１項に記載の照合システムにおいて、
前記照合システムは同一の前記番地に保管されている複数の前記鋼材を一度に照合対象とすることができ、
前記入力受付手段は、照合対象の複数の前記鋼材が保管されている前記番地及び複数の前記段情報の入力を受付けることができ、
前記出力手段は、前記入力受付手段が入力を受付けた前記段情報の数と同数の複数の前記特定フレームを前記ファインダーに表示する照合システム。
【請求項５】
請求項４に記載の照合システムにおいて、
複数の前記特定フレーム各々は、前記入力受付手段が入力を受付けた前記段情報各々と対応付けられており、
前記出力手段は、対応付けられている前記段情報が識別できるように、複数の前記特定フレームを表示する照合システム。
【請求項６】
請求項４又は５に記載の照合システムにおいて、
前記対応情報検索手段は、前記入力受付手段が入力を受付けた前記番地に対応付けられている前記段情報を取得し、
前記出力手段は、前記対応情報検索手段が取得した前記段情報を一覧表示し、
前記入力受付手段は、前記一覧表示されている前記段情報の中の１つ又は複数を選択する入力を受付けることで、照合対象の前記鋼材の前記段情報の入力を受付ける照合システム。
【請求項７】
請求項１から３のいずれか１項に記載の照合システムにおいて、
前記照合システムは同一の前記番地に保管されている複数の前記鋼材を一度に照合対象とすることができ、
前記対応情報検索手段は、前記入力受付手段が入力を受付けた前記番地に保管されている前記鋼材である第１の前記鋼材の数を、前記対応情報において当該番地に対応付けられている前記鋼材の前記識別情報の数を認識することで特定し、
前記出力手段は、前記第１の鋼材の数と同数の複数の前記特定フレームを前記ファインダーに表示する照合システム。
【請求項８】
請求項７に記載の照合システムにおいて、
複数の前記特定フレーム各々には、前記第１の鋼材各々に対応付けられている前記段情報が対応付けられており、
前記出力手段は、対応付けられている前記段情報が識別できるように、複数の前記特定フレームを表示する照合システム。
【請求項９】
請求項８に記載の照合システムにおいて、
前記入力受付手段は、前記ファインダーに表示されている複数の前記特定フレームの中の１つ又は複数を選択する入力を受付けることで、照合対象の前記鋼材の前記段情報の入力を受付ける照合システム。
【請求項１０】
請求項４から９のいずれか１項に記載の照合システムにおいて、
前記ファインダーに表示されている複数の前記特定フレームは、個別に、前記ファインダー内の表示位置、形状及び大きさの中の少なくとも１つを変更することができる照合システム。
【請求項１１】
請求項４から１０のいずれか１項に記載の照合システムにおいて、
前記入力受付手段は、前記ファインダーに表示されている複数の前記特定フレームの中の一部を指定する指定入力と、一部の前記特定フレームが指定されている状態で撮像する撮像指示入力とを受付け、
前記撮像手段は、前記入力受付手段が受付けた前記撮像指示入力に従い撮像し、
前記画像認識手段は、前記撮像手段が撮像した前記画像の中の当該画像撮像時に指定されていた前記特定フレーム内の一部画像のみを用いて画像認識処理を行う照合システム。
【請求項１２】
請求項１１に記載の照合システムにおいて、
前記出力手段は、指定された状態で撮像されたことがある前記特定フレームと、指定された状態で撮像されたことがない前記特定フレームとを識別可能に表示する照合システム。
【請求項１３】
請求項１から１２のいずれか１項に記載の照合システムにおいて、
前記照合システムは、互いに通信可能に構成された端末装置と、サーバ装置とを有し、
前記端末装置は、前記入力受付手段と、前記出力手段と、前記撮像手段とを有し、
前記サーバ装置は、前記記憶手段と、前記対応情報検索手段と、前記照合手段とを有し、
前記端末装置及び前記サーバ装置のいずれかが、前記画像認識手段を備える照合システム。
【請求項１４】
請求項１から１２のいずれか１項に記載の前記照合システムが有する前記入力受付手段と、前記撮像手段と、前記出力手段とを備える端末装置。
【請求項１５】
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを外部装置に送信する送信手段と、
を有し、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段は前記判別結果を出力する端末装置。
【請求項１６】
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像を識別する情報とともに、前記画像を外部装置に送信する送信手段と、を有し、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段は前記判別結果を出力する端末装置。
【請求項１７】
請求項１から１２のいずれか１項に記載の前記照合システムが有する前記記憶手段と、前記対応情報検索手段と、前記照合手段とを備えるサーバ装置。
【請求項１８】
請求項１７に記載のサーバ装置において、請求項１から１２のいずれか１項に記載の前記照合システムが有する前記画像認識手段をさらに備えるサーバ装置。
【請求項１９】
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像のみを外部装置に送信する送信手段、
として機能させ、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段に前記判別結果を出力させるプログラム。
【請求項２０】
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像を識別する情報とともに、前記画像を外部装置に送信する送信手段、
として機能させ、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段に前記判別結果を出力させるプログラム。
【請求項２１】
各々番地が割り振られた複数のエリア各々に複数段に積み重ねて保管される複数の鋼材の照合を行う照合システム用のプログラムであって、
コンピュータを、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶する記憶手段、
照合対象の前記鋼材の前記番地及び前記段情報の入力を受付ける入力受付手段、
前記対応情報を参照し、前記入力受付手段が入力を受付けた前記番地及び前記段情報に対応付けられている前記識別情報を取得する対応情報検索手段、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記ファインダーに表示されている前記画像を撮像する撮像手段、
前記撮像手段が撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識手段、
前記対応情報検索手段が取得した前記識別情報と、前記画像認識手段が認識した前記識別情報とが一致するか否か判別する照合手段、
として機能させるためのプログラム。
【請求項２２】
各々番地が割り振られた複数のエリア各々に複数段に積み重ねて保管される複数の鋼材の照合を行う照合方法であって、
コンピュータが、
保管されている複数の前記鋼材各々の識別情報と、前記鋼材各々が保管されている前記エリアの前記番地と、複数段に積み重ねられた鋼材群の中の位置を示す段情報とを対応付けた対応情報を記憶しておき、
照合対象の前記鋼材の前記番地及び前記段情報の入力を受付ける入力受付ステップと、
前記対応情報を参照し、前記入力受付ステップで入力を受付けた前記番地及び前記段情報に対応付けられている前記識別情報を取得する対応情報検索ステップと、
ファインダーに撮像前及び／又は撮像済みの画像を表示するとともに、表示されている前記画像の中の画像認識処理の対象となる一部領域を示す特定フレームを前記画像に重ねて前記ファインダーに表示する出力ステップと、
前記ファインダーに表示されている前記画像を撮像する撮像ステップと、
前記撮像ステップで撮像した前記画像の中の前記特定フレーム内の一部画像のみを用いて画像認識処理を行い、複数の前記鋼材各々の表面に記されている識別マークを抽出するとともに、抽出した前記識別マークを用いて前記識別情報を認識する画像認識ステップと、
前記対応情報検索ステップで取得した前記識別情報と、前記画像認識ステップで認識した前記識別情報とが一致するか否か判別する照合ステップと、
を実行する照合方法。
【手続補正２】
【補正対象書類名】明細書
【補正対象項目名】００１０
【補正方法】変更
【補正の内容】
【００１０】
また、本発明によれば、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像のみを外部装置に送信する送信手段と、
を有し、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段は前記判別結果を出力する端末装置が提供される。
【手続補正３】
【補正対象書類名】明細書
【補正対象項目名】００１１
【補正方法】変更
【補正の内容】
【００１１】
また、本発明によれば、
ファインダーを有し、前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段と、
前記ファインダーに表示されている前記画像を撮像する撮像手段と、
前記撮像手段が撮像した前記画像の中の前記特定フレーム内の一部画像を識別する情報とともに、前記画像を外部装置に送信する送信手段と、を有し、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段は前記判別結果を出力する端末装置が提供される。
【手続補正４】
【補正対象書類名】明細書
【補正対象項目名】００１３
【補正方法】変更
【補正の内容】
【００１３】
また、本発明によれば、
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像のみを外部装置に送信する送信手段、
として機能させ、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段に前記判別結果を出力させるプログラムが提供される。
【手続補正５】
【補正対象書類名】明細書
【補正対象項目名】００１４
【補正方法】変更
【補正の内容】
【００１４】
また、本発明によれば、
ファインダーに表示されている画像を撮像する撮像手段を備えた端末装置用のプログラムであって、
コンピュータを、
前記ファインダーに撮像前及び／又は撮像済みの画像を表示するとともに、表示されている前記画像の中の画像認識処理の対象となる一部領域を示す特定フレームを前記画像に重ねて前記ファインダーに表示する出力手段、
前記撮像手段が撮像した前記画像の中の前記特定フレーム内の一部画像を識別する情報とともに、前記画像を外部装置に送信する送信手段、
として機能させ、
前記外部装置が、前記画像の中の前記特定フレーム内の一部画像のみを用いて画像認識処理を行うことによって認識された、照合対象の鋼材を識別する識別情報と、記憶手段に記憶された前記照合対象の識別情報とが一致するか否か判別することで得られた判別結果を前記外部装置から得た場合、前記出力手段に前記判別結果を出力させるプログラムが提供される。
【国際調査報告】
2014141534.tif 000024
2014141534.tif 000025
2014141534.tif 000026
2014141534.tif 000027
2014141534.tif 000028
2014141534.tif 000029